(57)【要約】【課題】本発明は、外観が良好で意匠性に優れる太陽電池付表示装置および太陽電池パネルを提供することを主目的とする。【解決手段】本発明は、表示装置と、上記表示装置に間隔をおいて並んで配置された太陽電池と、上記太陽電池の受光面側に配置され、上記表示装置および上記太陽電池の間に設けられた色調整層と、上記色調整層および上記太陽電池の上方に配置された拡散層と、上記太陽電池および上記拡散層の間に配置され、上記色調整層および上記拡散層の間に配置されていない透明介在層とを有する太陽電池付表示装置であって、上記拡散層側から上記太陽電池付表示装置を正面視した場合に、上記太陽電池が配置され、上記色調整層が配置されていない太陽電池領域の色と、上記色調整層が配置されている色調整層形成領域の色とが、明度差が２．３以内の範囲の色に属することを特徴とする太陽電池付表示装置を提供する。【選択図】図２
2015220894.tif 000002
【特許請求の範囲】
【請求項１】
表示装置と、
前記表示装置に間隔をおいて並んで配置された太陽電池と、
前記太陽電池の受光面側に配置され、前記表示装置および前記太陽電池の間に設けられた色調整層と、
前記色調整層および前記太陽電池の上方に配置された拡散層と、
前記太陽電池および前記拡散層の間に配置され、前記色調整層および前記拡散層の間に配置されていない透明介在層と
を有する太陽電池付表示装置であって、
前記拡散層側から前記太陽電池付表示装置を正面視した場合に、前記太陽電池が配置され、前記色調整層が配置されていない太陽電池領域の色と、前記色調整層が配置されている色調整層形成領域の色とが、明度差が２．３以内の範囲の色に属することを特徴とする太陽電池付表示装置。
【請求項２】
前記拡散層側から前記太陽電池付表示装置を正面視した場合に、前記太陽電池領域の色と、前記色調整層形成領域の色と、前記表示装置が配置され、前記色調整層が配置されていない表示装置領域の色とが、明度差が２．３以内の範囲の色に属することを特徴とする請求項１に記載の太陽電池付表示装置。
【請求項３】
複数の前記太陽電池が間隔をおいて並んで配置され、第２色調整層が、隣り合う前記太陽電池の間に設けられており、
前記拡散層側から前記太陽電池付表示装置を正面視した場合に、前記太陽電池が配置され、前記第２色調整層が配置されていない第２太陽電池領域の色と、前記第２色調整層が配置されている第２色調整層形成領域の色とが、明度差が２．３以内の範囲の色に属することを特徴とする請求項１または請求項２に記載の太陽電池付表示装置。
【請求項４】
前記表示装置の一部を覆うように前記色調整層が配置され、前記表示装置の上方に位置する前記色調整層の開口部により表示部が画定されていることを特徴とする請求項１から請求項３までのいずれかに記載の太陽電池付表示装置。
【請求項５】
前記拡散層がパターン状に設けられ、前記表示装置の上方に位置する開口部を有することを特徴とする請求項１から請求項４までのいずれかに記載の太陽電池付表示装置。
【請求項６】
前記表示装置上では、前記色調整層が配置されていない領域に前記拡散層が配置されていることを特徴とする請求項５に記載の太陽電池付表示装置。
【請求項７】
前記拡散層の上方に意匠層が配置されていることを特徴とする請求項１から請求項６までのいずれかに記載の太陽電池付表示装置。
【請求項８】
間隔をおいて並んで配置された複数の太陽電池と、
前記太陽電池の受光面側に配置され、隣り合う前記太陽電池の間に設けられた第３色調整層と、
前記第３色調整層および前記太陽電池の上方に配置された拡散層と、
前記太陽電池および前記拡散層の間に配置され、前記第３色調整層および前記拡散層の間に配置されていない透明介在層と
を有する太陽電池パネルであって、
前記拡散層側から前記太陽電池パネルを正面視した場合に、前記太陽電池が配置され、前記第３色調整層が配置されていない第３太陽電池領域の色と、前記第３色調整層が配置されている第３色調整層形成領域の色とが、明度差が２．３以内の範囲の色に属することを特徴とする太陽電池パネル。
【請求項９】
前記拡散層の上方に意匠層が配置されていることを特徴とする請求項８に記載の太陽電池パネル。
【発明の詳細な説明】
【技術分野】
【０００１】
本発明は、太陽電池付表示装置および太陽電池パネルに関するものである。
【背景技術】
【０００２】
現在、地球温暖化防止の対策として、世界規模でＣＯ2排出抑制の取り組みが行われており、火力発電等に代わるクリーンな発電装置として太陽電池が注目されており、研究開発が盛んである。
また、近年においては、太陽電池を屋外のみならず屋内の種々の物品に搭載して利用することが行われており、所望の意匠性を付与したいという要望がある。
【０００３】
例えば特許文献１には、時計用文字板において、高い透過率を得つつ、太陽電池を目視上認識できなくするために、太陽電池基板と、第１の拡散層と、透明な下板と、干渉フィルター層と、第２の拡散層と、透明な上板と、装飾部材とが順に積層されている太陽電池時計が開示されている。
【０００４】
特許文献２には、光透過性および装飾性（美的外観）に優れる時計用文字板を提供するために、太陽電池の受光面に偏光体および拡散層が順に積層されているソーラー時計用文字板が開示されている。
【０００５】
また、本発明者は、例えば特許文献３に記載するように、太陽電池モジュールおよび太陽電池パネルの受光面に意匠性を付与する技術を提案している。特許文献３には、二以上の太陽電池素子を有する太陽電池モジュールにおいて、太陽電池素子および太陽電池素子の間に太陽電池素子と同色の第１着色層を設け、太陽電池モジュールの受光面側に、太陽電池素子側から拡散層および第２着色層をこの順で直接または他の層を介して設けることを開示している。また、二以上の太陽電池モジュールを有する太陽電池パネルにおいて、太陽電池モジュールおよび太陽電池モジュールの間に太陽電池素子と同色の第１着色層を設け、太陽電池パネルの受光面側に、太陽電池素子側から拡散層および第２着色層をこの順で直接または他の層を介して設けることを開示している。
【０００６】
また、最近では、太陽電池を電子ペーパーや有機ＥＬ表示装置等の表示装置と組み合わせて、意匠性を高める試みがなされている。
例えば、本発明者は、特許文献４に記載するように、電子ペーパー、太陽電池、二次電池から構成され、全体として一体に形成されている表示システムを提案している。
【先行技術文献】
【特許文献】
【０００７】
【特許文献１】特許第３４７６２５１号公報
【特許文献２】国際公開第２００６／００６３９０号パンフレット
【特許文献３】特許第５４４０７３１号公報
【特許文献４】特開２０１３−１１７６２５号公報
【発明の概要】
【発明が解決しようとする課題】
【０００８】
特許文献３に記載の技術では、太陽電池素子どうしの間、または太陽電池モジュールどうしの間に、太陽電池素子と同色の第１着色層が設けられており、かつ太陽電池素子の受光面側に拡散層が設けられていることにより、太陽電池素子どうしの間、または太陽電池モジュールどうしの間を目立たなくすることができる。
【０００９】
一方、本発明者が太陽電池の意匠性についてさらに検討したところ、太陽電池素子どうしの間、または太陽電池モジュールどうしの間に、太陽電池素子と同色の第１着色層を設けた場合であっても、太陽電池モジュールや太陽電池パネルの層構成によっては、太陽電池モジュールや太陽電池パネルを受光面側から観察したときに、太陽電池素子の色と太陽電池素子どうしの間の色あるいは太陽電池モジュールどうしの間の色との見た目が合わず、外観に劣る場合があることが判明した。
【００１０】
そこで、太陽電池を表示装置と組み合わせる場合には、太陽電池および表示装置が一体感を有することが望ましい。しかしながら、特許文献３に記載の技術を参考にして、太陽電池と表示装置の間に、太陽電池と同色の着色層を設けたとしても、太陽電池の層構成によっては、太陽電池の色と太陽電池および表示装置の間の色との見た目が合わないことになるため、外観が損なわれてしまう。
【００１１】
本発明は、上記問題点に鑑みてなされたものであり、外観が良好で意匠性に優れる太陽電池付表示装置および太陽電池パネルを提供することを主目的とする。
【課題を解決するための手段】
【００１２】
本発明者は、上記課題を解決するために鋭意検討を重ねた結果、太陽電池が配置され、色調整層が配置されていない太陽電池領域において太陽電池に入射する光の光路と、色調整層が配置されている色調整層形成領域において色調整層に入射する光の光路とが異なる場合には、拡散層側から太陽電池を観察したときに、太陽電池領域の色と色調整層形成領域の色との見た目が合わない場合があることを知見した。さらに、特に拡散層を有する場合に太陽電池領域の色と色調整層形成領域の色との見た目を合わせる手段として、色の属性のなかで明度に着目して、色を調整することが重要であることを知見した。本発明は、上記知見に基づくものである。
【００１３】
すなわち、本発明は、表示装置と、上記表示装置に間隔をおいて並んで配置された太陽電池と、上記太陽電池の受光面側に配置され、上記表示装置および上記太陽電池の間に設けられた色調整層と、上記色調整層および上記太陽電池の上方に配置された拡散層と、上記太陽電池および上記拡散層の間に配置され、上記色調整層および上記拡散層の間に配置されていない透明介在層とを有する太陽電池付表示装置であって、上記拡散層側から上記太陽電池付表示装置を正面視した場合に、上記太陽電池が配置され、上記色調整層が配置されていない太陽電池領域の色と、上記色調整層が配置されている色調整層形成領域の色とが、明度差が２．３以内の範囲の色に属することを特徴とする太陽電池付表示装置を提供する。
【００１４】
本発明によれば、拡散層側から太陽電池付表示装置を正面視した場合に、太陽電池領域の色と色調整層形成領域の色とが明度差が２．３以内の範囲の色に属するように、色調整層の色を調整することにより、太陽電池の色と太陽電池および表示装置の間の色との見た目を合わせて、太陽電池および表示装置の境目を隠すことができ、外観を良くすることができる。そのため、表示装置および太陽電池の一体感を高めることができ、意匠性を向上させることができる。
【００１５】
上記発明においては、上記拡散層側から上記太陽電池付表示装置を正面視した場合に、上記太陽電池領域の色と、上記色調整層形成領域の色と、上記表示装置が配置され、上記色調整層が配置されていない表示装置領域の色とが、明度差が２．３以内の範囲の色に属することが好ましい。これにより、表示装置および太陽電池の一体感がさらに増すため、意匠性を向上させることができる。
【００１６】
また本発明においては、複数の上記太陽電池が間隔をおいて並んで配置され、第２色調整層が、隣り合う上記太陽電池の間に設けられており、上記拡散層側から上記太陽電池付表示装置を正面視した場合に、上記太陽電池が配置され、上記第２色調整層が配置されていない第２太陽電池領域の色と、上記第２色調整層が配置されている第２色調整層形成領域の色とが、明度差が２．３以内の範囲の色に属することが好ましい。複数の太陽電池を直列や並列に接続した場合に、隣り合う太陽電池の境目を目立たなくすることができ、外観をさらに良くすることができるからである。
【００１７】
さらに本発明においては、上記表示装置の一部を覆うように上記色調整層が配置され、上記表示装置の上方に位置する上記色調整層の開口部により表示部が画定されていることが好ましい。表示装置の形状や大きさによらず、表示装置の上方に位置する色調整層の開口部によって表示部の形状や大きさを設定することができ、意匠性を高めることができるからである。
【００１８】
また本発明においては、上記拡散層がパターン状に設けられ、上記表示装置の上方に位置する開口部を有することが好ましい。表示装置の上方に位置する拡散層の開口部では、表示装置での表示を鮮明にすることができるからである。
【００１９】
上記の場合、上記表示装置上では、上記色調整層が配置されていない領域に上記拡散層が配置されていてもよい。表示装置の上方において、拡散層の開口部では表示装置の表示を鮮明にすることができ、拡散層が配置されている領域では表示をぼかすことができ、意匠性を高めることができる。
【００２０】
また本発明においては、上記拡散層の上方に意匠層が配置されていることが好ましい。透明介在層を有する場合、色調整層の色の明度を上記のように調整してはじめて、意匠層に設けられた意匠通りの意匠性を発現させることができる。また、表示装置では表示が可能であることから、意匠層の背景の下で、表示装置による表示のオンオフや表示の変更を行うことができ、意匠性を向上させることができる。
【００２１】
また本発明は、間隔をおいて並んで配置された複数の太陽電池と、上記太陽電池の受光面側に配置され、隣り合う上記太陽電池の間に設けられた第３色調整層と、上記第３色調整層および上記太陽電池の上方に配置された拡散層と、上記太陽電池および上記拡散層の間に配置され、上記第３色調整層および上記拡散層の間に配置されていない透明介在層とを有する太陽電池パネルであって、上記拡散層側から上記太陽電池パネルを正面視した場合に、上記太陽電池が配置され、上記第３色調整層が配置されていない第３太陽電池領域の色と、上記第３色調整層が配置されている第３色調整層形成領域の色とが、明度差が２．３以内の範囲の色に属することを特徴とする太陽電池パネルを提供する。
【００２２】
本発明によれば、拡散層側から太陽電池パネルを正面視した場合に、第３太陽電池領域の色と上記第３色調整層が配置されている第３色調整層形成領域の色とが明度差が２．３以内の範囲の色に属するように、第３色調整層の色を調整することにより、隣り合う太陽電池の境目を目立たなくすることができ、外観を良くすることができる。そのため、太陽電池パネル全体の一体感を高めることができ、意匠性を向上させることができる。
【００２３】
上記発明においては、上記拡散層の上方に意匠層が配置されていることが好ましい。透明介在層を有する場合、第３色調整層の色の明度を上記のように調整してはじめて、意匠層に設けられた意匠通りの意匠性を発現させることができる。そのため、本発明の太陽電池パネルに意匠性を付与することができるからである。
【発明の効果】
【００２４】
本発明は、外観が良好で意匠性に優れる表示装置付太陽電池および太陽電池パネルを提供することができるという効果を奏する。
【図面の簡単な説明】
【００２５】
【図１】本発明の太陽電池付表示装置の一例を示す概略断面図である。
【図２】本発明の太陽電池付表示装置の一例を示す概略平面図および断面図である。
【図３】本発明の太陽電池付表示装置の他の例を示す概略平面図および断面図である。
【図４】本発明の太陽電池付表示装置の他の例を示す概略断面図である。
【図５】本発明の太陽電池付表示装置の他の例を示す概略平面図および断面図である。
【図６】本発明の太陽電池付表示装置の他の例を示す概略断面図である。
【図７】本発明における太陽電池モジュールの一例を示す概略断面図である。
【図８】本発明の太陽電池付表示装置の他の例を示す概略断面図である。
【図９】本発明の太陽電池パネルの一例を示す概略平面図および断面図である。
【発明を実施するための形態】
【００２６】
以下、本発明の太陽電池付表示装置および太陽電池パネルについて詳細に説明する。
【００２７】
Ａ．太陽電池付表示装置
本発明の太陽電池付表示装置は、表示装置と、上記表示装置に間隔をおいて並んで配置された太陽電池と、上記太陽電池の受光面側に配置され、上記表示装置および上記太陽電池の間に設けられた色調整層と、上記色調整層および上記太陽電池の上方に配置された拡散層と、上記太陽電池および上記拡散層の間に配置され、上記色調整層および上記拡散層の間に配置されていない透明介在層とを有する太陽電池付表示装置であって、上記拡散層側から上記太陽電池付表示装置を正面視した場合に、上記太陽電池が配置され、上記色調整層が配置されていない太陽電池領域の色と、上記色調整層が配置されている色調整層形成領域の色とが、明度差が２．３以内の範囲の色に属することを特徴とするものである。
【００２８】
ここで、透明介在層が、太陽電池および拡散層の間に配置され、色調整層および拡散層の間に配置されていないとは、太陽電池が配置され、色調整層が配置されていない太陽電池領域では、太陽電池および拡散層の間に透明介在層が配置され、色調整層が配置されている色調整層形成領域では、色調整層および拡散層の間に透明介在層が配置されていないことを意味する。したがって、太陽電池領域では、可視光の少なくとも一部が透過される透明な媒体が、色調整層形成領域よりも一層以上多く存在している。
なお、太陽電池と拡散層との間および色調整層と拡散層との間に同一の任意の透明層が配置されている場合、その透明層は、太陽電池と拡散層との間だけでなく色調整層と拡散層との間にも配置されていることから、本発明における透明介在層には含まれない。例えば、後述する図１に示すように、太陽電池３および拡散層６の間に透明基板４が配置されている場合、この透明基板４は色調整層５および拡散層６の間にも配置されていることから、透明基板４は本発明における透明介在層に該当しない。この場合には、空気層８が透明介在層１０になる。
【００２９】
本発明の太陽電池付表示装置について図面を参照して説明する。
図２（ａ）、（ｂ）は本発明の太陽電池付表示装置の一例を示す概略平面図および断面図であり、図２（ｂ）は図２（ａ）のＡ−Ａ線断面図である。図２（ａ）、（ｂ）に示す太陽電池付表示装置１においては、透明基板４の下方に表示装置２が配置され、透明基板４の下方の表示装置２の周囲に間隔をおいて複数の太陽電池３が並んで配置され、太陽電池３の透明基板４側が受光面となっており、透明基板４の表示装置２および太陽電池３の形成面とは反対側の面に、表示装置２および太陽電池３の間ならびに太陽電池３同士の間に色調整層５が設けられ、色調整層５、太陽電池３および表示装置２の上方に拡散層６が配置されている。太陽電池３および拡散層６の間には透明介在層１０として透明基板４および空気層８が配置されている。すなわち、この太陽電池付表示装置１では、透明基板４および空気層８が、太陽電池３と拡散層６との間には配置されているが、色調整層５と拡散層６との間には配置されておらず、透明介在層１０となっている。なお、図２（ａ）においては、透明基板４および拡散層６を省略しており、表示装置２および太陽電池３の一部を破線で示している。
【００３０】
この太陽電池付表示装置１において、太陽電池３が配置され、色調整層５が配置されていない太陽電池領域１１では、拡散層６および太陽電池３の間に透明介在層１０が配置されており、拡散層６側から入射した光のうち、一部の光Ｌ１は太陽電池３で反射され拡散層６から出射する。また、色調整層５が配置されている色調整層形成領域１２では、拡散層６および色調整層５の間に透明介在層１０が配置されておらず、拡散層６側から入射した光のうち、一部の光Ｌ２は色調整層５で反射され拡散層６から出射する。このとき、光Ｌ１は、光Ｌ２に対して、空気層８および透明基板４をそれぞれ２回通過する分だけ、つまり透明介在層１０を２回通過する分だけ、光路が異なる。そのため、太陽電池３の色と色調整層５の色とを同色とした場合であっても、太陽電池付表示装置１を拡散層６側から正面視したときに、太陽電池領域１１の色と色調整層形成領域１２の色とで見た目が合わないという不具合がある。これに対し本発明においては、太陽電池付表示装置１を拡散層６側から正面視したときに、太陽電池領域１１の色と色調整層形成領域１２の色とを明度差が２．３以内の範囲の色にするため、太陽電池領域１１と色調整層形成領域１２とで見た目を合わせることができる。したがって、拡散層６および色調整層５の相乗効果によって、表示装置２および太陽電池３の境目を隠すことができる。また、隣り合う太陽電池３の境目を目立たなくすることができる。
【００３１】
このように本発明においては、表示装置および太陽電池の一体感を高め、太陽電池付表示装置の外観を良くすることができる。
また本発明においては、表示装置および太陽電池を一体化することができ、表示装置では表示が可能であるため、意匠性に優れており、アイキャッチ効果を高めることができる。
【００３２】
また、拡散層側から太陽電池付表示装置を正面視した場合に、図２（ｂ）に示すような太陽電池領域１１の色と、表示装置２が配置され、色調整層５が配置されていない表示装置領域１６の色とが明度差が２．３以内の範囲の色に属する場合には、表示装置および太陽電池の間に色調整層が設けられていることにより、拡散層および色調整層の相乗効果によって、表示装置および太陽電池の境目を目立たなくすることができる。これにより、表示装置および太陽電池の一体感がさらに増すため、意匠性を向上させることができる。この場合、太陽電池付表示装置の表面全体で色むらをなくすことができるため、後述するように拡散層の上方に意匠層が配置されている場合には、意匠層が下地の影響を受けることなく所望の意匠を発現することができ、全体として高度な意匠を再現することができる。
一方、拡散層側から太陽電池付表示装置を正面視した場合に、図２（ｂ）に示すような太陽電池領域１１の色と表示装置領域１６の色との見た目が異なる場合には、表示装置および太陽電池の間に色調整層が設けられていることにより、表示装置領域を目立たせることができる。これにより、表示装置での表示による意匠性を高めることができる。
【００３３】
また本発明において、表示装置は太陽電池により駆動可能であり、例えば使用場所を選ばずに使用することができ、種々の用途に適用することが可能になる。
【００３４】
以下、本発明の太陽電池付表示装置における各構成について説明する。
【００３５】
１．色調整層
本発明における色調整層は、太陽電池の受光面側に配置され、表示装置および太陽電池の間に設けられ、通常はパターン状に設けられるものである。色調整層の色は、拡散層側から太陽電池付表示装置を正面視した場合に、太陽電池が配置され、色調整層が配置されていない太陽電池領域の色と、色調整層が配置されている色調整層形成領域の色とが、明度差が２．３以内の範囲の色に属するように、調整されている。最も好ましい範囲は、明度差が１．５以内の範囲である。特に拡散層を有する場合に、太陽電池領域の色と色調整層形成領域の色との見た目を合わせるには、色の属性のなかで明度に着目して、色を調整することが重要である。すなわち、拡散層と色調整層の相乗効果によって、装置全体の明度のむらを抑制して明度を均一化させることが、良好な外観を得るために重要である。これによって、見た目を例えばきれいな白色または明灰色とすることができる。
【００３６】
ここで、「明度差が２．３以内の範囲の色」とは、アメリカ光学会による修正マンセル表色系にて、一の色の明度を基準とした場合に、その一の色の明度から＋２．３〜−２．３の範囲の明度に属する色を指す。なお、色は、コニカミノルタ社製の分光測色計ＣＭ−７００ｄ（視野２度、光源Ｃ）を用いて決定される。
なお、本発明では、拡散層を有するので、明度差が２．３以内の範囲の色であれば、色相や彩度は同一であっても異なっていてもよい。
【００３７】
あるいは、色調整層の色は、下記式（１）により算出される色差ΔＥ１が２１．０以下、中でも１４．０以下になるように調整されていることが好ましい。
ΔＥ１＝｛（ΔＬ＊１）2＋（Δａ＊１）2＋（Δｂ＊１）2｝1/2      （１）
ΔＥ１：色差
ΔＬ＊１：太陽電池領域のＬ＊と色調整層形成領域のＬ＊との差
Δａ＊１：太陽電池領域のａ＊と色調整層形成領域のａ＊との差
Δｂ＊１：太陽電池領域のｂ＊と色調整層形成領域のｂ＊との差
Ｌ＊、ａ＊およびｂ＊：１９７６年に国際照明委員会（ＣＩＥ）により勧告され、ＪＩＳ Ｚ８７２９に規定されたＬ＊ａ＊ｂ＊表色系の値
なお、Ｌ＊、ａ＊およびｂ＊は、コニカミノルタ社製の分光測色計ＣＭ−７００ｄ（視野１０度、光源Ｄ６５）により測定した値である。
【００３８】
さらに、上述の通り、色調整層の色は、拡散層側から太陽電池付表示装置を正面視した場合に、太陽電池領域の色と、色調整層形成領域の色と、表示装置が配置され、色調整層が配置されていない表示装置領域の色とが、明度差が２．３以内の範囲の色に属するように、調整されていることが好ましい。
【００３９】
あるいは、色調整層の色は、下記式（２）により算出される色差ΔＥ２が２２．０以下、中でも１５．０以下になるように調整されていることが好ましい。
ΔＥ２＝｛（ΔＬ２）2＋（Δａ＊２）2＋（Δｂ＊２）2｝1/2      （２）
ΔＥ２：色差
ΔＬ＊２：表示装置領域のＬ＊と色調整層形成領域のＬ＊との差
Δａ＊２：表示装置領域のａ＊と色調整層形成領域のａ＊との差
Δｂ＊２：表示装置領域のｂ＊と色調整層形成領域のｂ＊との差
【００４０】
色調整層の色は、拡散層側から太陽電池付表示装置を正面視した場合に、太陽電池領域の色と色調整層形成領域の色とが明度差が２．３以内の範囲の色に属するように調整されていればよく、好ましくは太陽電池領域の色と色調整層形成領域の色と表示装置領域の色とが明度差が２．３以内の範囲の色に属するように調整されていればよく、太陽電池や表示装置の色、透明介在層の種類、拡散層の種類等に応じて適宜設計することができる。例えば、色調整層に含まれる色材の種類や量、密度、色調整層の厚さ、積層構成等を調整することにより、色調整層の色を調整することができる。
【００４１】
色調整層としては、上記のように色が調整されたものであればよく、例えば色材およびバインダー樹脂を含有するものが挙げられる。色材としては、例えば染料、顔料が挙げられ、１種単独で用いてもよく２種以上を混合して用いてもよい。バインダー樹脂としては、一般的な材料から適宜選択して用いることができる。
【００４２】
また、色調整層は、太陽電池の上方に位置する色調整層の部分や表示装置の上方に位置する色調整層の部分において、色調整層の中央部から端部に向かって色濃度が薄くなるように濃度勾配を有していてもよい。これにより、太陽電池や、太陽電池同士の境目をより目立たなくすることができる。
【００４３】
色調整層は、太陽電池の受光面側に配置されるが、表示装置および太陽電池の間ならびに太陽電池同士の間に設けられるため、光透過性を有していてもよく有さなくてもよい。後述するように、色調整層が表示装置の一部を覆うように配置されている場合には、色調整層の光透過性を有さないことが好ましい。色調整層によって表示装置の一部を遮蔽し、表示部を画定することができるからである。
【００４４】
色調整層は、単一の層であってもよく、複数層が積層されたものであってもよい。色調整層が複数層が積層されたものである場合は、各層の色は同一であっても異なっていてもよい。上述のように、色調整層の積層構成によって色調整層の色を調整することができる。
【００４５】
色調整層の配置としては、太陽電池の受光面側であって、表示装置と太陽電池との間に色調整層が設けられていればよい。例えば表示装置および太陽電池が離れて配置されている場合には、表示装置および太陽電池の間の領域に色調整層が設けられる。
また、複数の太陽電池が間隔をおいて並んで配置されている場合には、隣り合う太陽電池の間にも色調整層が設けられていることが好ましい。太陽電池同士の境目を目立たなくすることができるからである。この場合、隣り合う太陽電池の間に設けられる色調整層は、後述する第２色調整層となり得る。
【００４６】
また、色調整層は、表示装置の一部を覆うように配置されていてもよい。例えば図３（ａ）、（ｂ）に示すように、表示装置２の一部を覆うように色調整層５が配置されている場合、表示装置２の上方に位置する色調整層５の開口部により表示部１３を画定することができる。ここでは、表示装置２の上方に位置する色調整層５の開口部の形状は楕円形であり、表示部１３の形状は楕円形になっている。これにより、表示装置の形状や大きさ等によらず、表示部の形状や大きさ等を任意に設定することができ、意匠性を高めることができる。
なお、図３（ｂ）は図３（ａ）のＡ−Ａ線断面図であり、図３（ａ）において透明基板４および拡散層６は省略され、表示装置２および太陽電池３の一部は破線で示されている。
【００４７】
また、色調整層が表示装置の一部を覆うように配置されている場合には、表示装置における表示部の周囲に配置された非表示部を覆うように色調整層を配置することもでき、意匠性を高めることができる。
【００４８】
表示部の上方に位置する色調整層の開口部の形状としては、特に限定されるものではなく、所望の意匠性に応じて適宜選択されるものであり、例えば、円形、楕円形、三角形や四角形等の多角形等、任意の形状にすることができる。
【００４９】
色調整層の厚さとしては、特に限定されるものではなく、色調整層が配置される部分や太陽電池付表示装置全体の構成、さらには色調整層に期待する色味等を考慮して適宜設計することができる。例えば、色調整層の厚さは５０ｎｍ〜５０μｍ程度とすることができる。
【００５０】
色調整層は透明基材の上方にパターン状に形成されていてもよい。透明基材としては、光透過性を有するものであればよく、例えば樹脂基材を用いることができる。なお、透明基材の上方に色調整層がパターン状に形成された色調整フィルムを、透明基材が太陽電池と対向するように配置する場合には、透明基材が透明介在層になる。
【００５１】
色調整層を配置する方法としては、表示装置および太陽電池の間ならびに太陽電池同士の間に色調整層を設けることができれば特に限定されるものではなく、例えば透明基材の上方に色調整層がパターン状に形成された色調整フィルムを準備し、表示装置および太陽電池の上方に配置する方法が挙げられる。この際、色調整フィルムを、接着層を介して表示装置および太陽電池に貼り合せてもよく、熱ラミネート、真空ラミネート、ロールラミネート等のラミネートにより表示装置および太陽電池に積層してもよく、太陽電池付表示装置の外周に枠を配置して色調整フィルムを固定してもよい。また、表示装置および太陽電池が配置される透明基板の上方に色調整層をパターン状に形成してもよい。この場合、透明基板の表示装置および太陽電池の形成面とは反対側の面に色調整層を形成してもよく、透明基板の上方に色調整層を形成した後、表示装置および太陽電池を配置してもよい。この場合の色調整層の形成方法としては、色材を含む色調整層形成用塗工液を準備し、表示装置および太陽電池が配置される透明基板の上方に、各種塗布方法によって塗布する方法や、各種印刷方法によって印刷する方法を挙げることができる。
【００５２】
２．拡散層
本発明における拡散層は、色調整層および太陽電池の上方に配置されるものである。
【００５３】
拡散層は、太陽電池の受光面側に配置されるため、光透過性を有している。拡散層の光透過性は、所望の拡散性能と所望の太陽電池の発電効率とのバランスを考慮して適宜設計される。拡散層の全光線透過率は、所望の拡散性能および所望の太陽電池の発電効率によって異なるが、例えば２０％以上であることが好ましく、中でも５０％以上、特に６０％以上であることが好ましい。
ここで、全光線透過率は、ＪＩＳ Ｋ ７３６１−１に準拠した方法により測定した値である。
【００５４】
また、拡散層は光を拡散するものであり、拡散層の拡散性能は所望の太陽電池の発電効率とのバランスを考慮して適宜設計される。拡散層のヘイズは、所望の拡散性能および所望の太陽電池の発電効率によって異なるが、例えば２０％以上あることが好ましく、中でも４０％以上、特に６０％以上であることが好ましい。
ここで、ヘイズは、ＪＩＳ Ｋ ７１３６に準拠した方法により測定した値である。
【００５５】
拡散層としては、入射光を拡散することができ、光透過性を有するものであれば特に限定されるものではなく、例えば表面に凹凸を有する層、粒子を含有する層、多孔質シート、紙、布等が挙げられる。これらを組合わせて用いてもよい。
【００５６】
表面に凹凸を有する拡散層としては、一般的な拡散層を適宜選択して用いることができ、例えばサンドブラスト処理やエンボス加工等により表面に凹凸が形成された層や、粒子を含有する層が挙げられる。
表面に凹凸を有する拡散層に用いられる材料としては、例えばポリエステル樹脂、ポリカーボネート樹脂、ポリオレフィン樹脂、シリコーン樹脂、フッ素樹脂、ポリウレタン樹脂、エポキシ樹脂等の樹脂が挙げられる。
また、表面に凹凸を有する拡散層に用いられる粒子としては、例えばアクリル、ポリスチレン、シリコーン、ポリウレタン等の有機粒子や、シリカ等の無機粒子が挙げられる。粒子の形状としては、例えば球状、真球状、針状等が挙げられる。粒子の平均粒径は、拡散層の種類等に応じて適宜選択される。
また、粒子を含有する拡散層は、通常、粒子および樹脂を含有するものである。粒子および樹脂としては、上記と同様とすることができる。
表面に凹凸を有する拡散層および粒子を含有する拡散層としては、市販の拡散フィルムを用いることもできる。
【００５７】
多孔質シートに用いられる材料としては、例えば樹脂や、シリカ等の無機材料が挙げられる。
多孔質シートとしては、入射光を拡散することができ、光透過性を有するものであればよく、例えば市販の多孔質フィルム、不織布を用いることができる。
【００５８】
拡散層の配置としては、色調整層および太陽電池の上方に拡散層が配置されていればよい。
また、拡散層は、太陽電池、表示装置および色調整層の上方の全面に配置されていてもよく、太陽電池および色調整層の上方に配置されるとともに、表示装置の上方に開口部を有するようにパターン状に設けられていてもよい。例えば図４に示すように、拡散層６が表示装置２の上方に開口部を有するようにパターン状に設けられている場合には、表示装置２での表示を鮮明にすることができる。
【００５９】
また、拡散層が表示装置の上方に開口部を有するようにパターン状に設けられている場合、表示装置の上方では、図４に例示するように、拡散層６の開口部と色調整層５の開口部とが合うように色調整層５および拡散層６がパターン状に設けられていてもよく、図５（ａ）、（ｂ）に例示するように、拡散層６の開口部が色調整層５の開口部よりも小さくなるように色調整層５および拡散層６がパターン状に設けられていてもよい。図５（ａ）、（ｂ）に例示するように、表示装置２の上方において、色調整層５が配置されていない領域に拡散層６が配置されている場合には、上述のように表示装置２の上方に位置する色調整層５の開口部により表示部１３を画定することができることから、表示部１３において、拡散層６が配置されていない領域１４では表示を鮮明にし、拡散層６が配置されている領域１５では表示をぼかすことができ、意匠性を高めることができる。
なお、図５（ｂ）は図５（ａ）のＡ−Ａ線断面図であり、図５（ａ）において透明基板４および拡散層６は省略され、表示装置２および太陽電池３の一部は破線で示され、拡散層６の一部は二点鎖線で示されている。
【００６０】
拡散層の厚さとしては、拡散層の種類等に応じて異なるが、例えば１μｍ〜３００μｍ程度とすることができる。
【００６１】
拡散層は透明基材の上方に形成されていてもよい。透明基材としては、光透過性を有するものであればよく、例えば樹脂基材を用いることができる。
【００６２】
拡散層を配置する方法としては、拡散層の種類に応じて異なる。例えば拡散層として、拡散層を有する拡散フィルムや、多孔質シート、紙、布を用いる場合、これらの拡散層を色調整層および太陽電池の上方に配置する方法が挙げられる。この際、これらの拡散層を、接着層を介して貼り合せてもよく、熱ラミネート、真空ラミネート、ロールラミネート等のラミネートにより積層してもよく、太陽電池付表示装置の外周に枠を配置して拡散層を固定してもよい。また、例えば粒子を含有する拡散層の場合、太陽電池および表示装置が配置される透明基板および色調整層の上方に拡散層を形成してもよい。この場合の拡散層の形成方法としては、バインダー樹脂、粒子および溶媒を含む拡散層形成用塗工液を塗布または印刷する方法が挙げられる。
【００６３】
３．透明介在層
本発明における透明介在層は、太陽電池と拡散層との間に配置されるものであり、色調整層と拡散層との間には配置されない。
【００６４】
透明介在層としては、光透過性を有するものであればよく、例えば太陽電池を構成する部材を挙げることができ、具体的には透明基板、バリア層、接着層、反射防止層等が挙げられる。また、透明介在層は空気層であってもよい。例えば図１においては空気層８が透明介在層１０であり、図２（ｂ）においては透明基板４および空気層８が透明介在層１０である。図６（ａ）に示す太陽電池付表示装置１においては、透明基板４および拡散層６の間に接着層７が充填されており、透明基板４および接着層７が透明介在層１０になっている。図６（ｂ）に示す太陽電池付表示装置１においては、透明基板４の表示装置２および太陽電池３の形成面とは反対側の面に色調整層５がパターン状に形成され、色調整層５を覆うように拡散層６が形成されており、透明基板４が透明介在層１０になっている。図６（ｃ）に示す太陽電池付表示装置１においては、透明基板２の上方に接着層７を介して表示装置２および太陽電池３が配置されており、拡散層６および透明基板４の間の空気層８ａと、透明基板４と、透明基板４および太陽電池３の間の空気層８ｂとが透明介在層１０になっている。図６（ｄ）に示す太陽電池付表示装置１においては、拡散層６が表面に凹凸を有し、拡散層６の凹凸面側が表示装置２および太陽電池３に対向するように配置されており、透明基板４と、拡散層６および透明基板４の間の空気層８ｂとが透明介在層１０になっている。なお、図６（ｄ）に示す例においては、拡散層６の凹部にも空気層８ａが存在するが、この空気層８ａは透明介在層ではなく、この空気層８ａを除く空気層８ｂが透明介在層１０になる。
【００６５】
本発明は、透明介在層が、透明基板である場合に特に有用である。透明基板の厚みによって、太陽電池領域と色調整層形成領域とで色がずれやすいからである。あるいは、本発明は、透明介在層が、色調整層が設けられた透明基板の色調整層側の面に色調整層に並んで存在する空気層である場合に特に有用である。色調整層の厚みによって、太陽電池領域と色調整層形成領域とで色がずれやすいからである。
また、透明介在層が空気層である場合には、入射光は拡散層で拡散されるのみならず、空気層とその下に存在する層との界面でも屈折および反射されることとなり、拡散層および空気層の相乗効果によって、太陽電池の受光面側の白味を向上させることができる。そのため、太陽電池や、太陽電池どうしの境目の見た目の影響を少なくすることができ、後述するように拡散層の上方に意匠層を配置する場合には、意匠層の意匠性を十分に発揮させることができる。
【００６６】
透明介在層は１層であってもよく２層以上であってもよい。中でも、透明介在層は２層以上であることが好ましい。透明介在層の数が多いほど、太陽電池領域と色調整層形成領域とで色がずれやすいことから、本発明が有用である。
【００６７】
透明介在層の厚さとしては、透明介在層の種類等に応じて異なるが、例えば０．０１μｍ〜１０ｍｍ程度であり、中でも１００μｍ〜５ｍｍの範囲内であることが好ましい。なお、上記の透明介在層の厚さは、透明介在層が２層以上である場合には、２層以上の透明介在層の総厚を指す。透明介在層の厚さは厚いほうが、太陽電池領域と色調整層形成領域とで色がずれやすく、本発明が有用になる。
【００６８】
４．太陽電池
本発明における太陽電池は、表示装置に間隔をおいて並んで配置されるものである。
太陽電池は１つであってもよく、複数であってもよい。複数の場合、複数の太陽電池は並んで配置される。通常、太陽電池は複数とされる。
【００６９】
太陽電池としては、特に限定されるものではなく、一般的な太陽電池を適宜選択して用いることができる。例えば、単結晶シリコーン型太陽電池、多結晶シリコーン型太陽電池、アモルファスシリコン型太陽電池、化合物半導体型太陽電池、色素増感型太陽電池、量子ドット型太陽電池、有機薄膜型太陽電池等を挙げることができる。
【００７０】
中でも、アモルファスシリコン型太陽電池、色素増感型太陽電池、有機薄膜型太陽電池、ぺロブスカイト型太陽電池が好適である。これらの太陽電池は、蛍光灯等の室内光や、窓際等、低照度での発電効率が高いという利点を有する。また、これらの太陽電池は、室内にて使用可能であることから、意匠性が要求される場合も多く、本発明の効果を発揮できる点でも好ましい。また、色素増感型太陽電池は、製造工程に真空条件を必要とせず製造コストが低いという利点や、影による性能低下への影響が他の太陽電池よりも小さいため、意匠層の図柄の選択の幅が広いという利点も有する。
【００７１】
本発明においては、上述したように、拡散層側から太陽電池付表示装置を正面視した場合に、太陽電池領域の色と、色調整層形成領域の色と、表示装置領域の色とが、明度差が２．３以内の範囲の色に属することが好ましい。
太陽電池領域の色と表示装置領域の色とが明度差が２．３以内の範囲の色に属するようにするには、太陽電池領域の色を調整してもよい。なお、表示装置領域の色は、表示装置の上方に拡散層が配置されているか否かによっても異なる。太陽電池領域の色は、例えば、太陽電池の種類、太陽電池を構成する光電変換層の材料、透明介在層の種類、拡散層の種類等を適宜選択することにより、調整することができる。
【００７２】
上記の場合、太陽電池領域の色は、下記式（３）により算出される色差ΔＥ３が２２．０以下、中でも１５．０以下になるように調整されていることがより好ましい。
ΔＥ３＝｛（ΔＬ３）2＋（Δａ＊３）2＋（Δｂ＊３）2｝1/2      （３）
ΔＥ３：色差
ΔＬ＊３：太陽電池領域のＬ＊と表示装置領域のＬ＊との差
Δａ＊３：太陽電池領域のａ＊と表示装置領域のａ＊との差
Δｂ＊３：太陽電池領域のｂ＊と表示装置領域のｂ＊との差
【００７３】
太陽電池の配置としては、太陽電池が表示装置に間隔をおいて並んで配置されていれば特に限定されるものではなく、例えば表示装置の周囲に間隔をおいて複数の太陽電池を並んで配置したり、表示装置と離れて太陽電池を配置したりすることができる。
【００７４】
太陽電池が複数の場合、隣り合う太陽電池の境目を目立たなくするために、隣り合う太陽電池セルの間に、第２色調整層が設けられており、上記拡散層側から上記太陽電池付表示装置を正面視した場合に、上記太陽電池が配置され、上記第２色調整層が配置されていない第２太陽電池領域の色と、上記第２色調整層が配置されている第２色調整層形成領域の色とが、明度差が２．３以内の範囲の色に属することが好ましい。第２色調整層は、太陽電池の上方に設けてもよいし、太陽電池と並んで設けてもよいし、太陽電池の下方に設けてもよい。
【００７５】
太陽電池は、１つの太陽電池セルであってもよく、複数の太陽電池セルが接続された太陽電池モジュールであってもよい。
【００７６】
太陽電池が、複数の太陽電池セルが接続された太陽電池モジュールである場合には、隣り合う太陽電池セルの境目を目立たなくするために、隣り合う太陽電池セルの間に、第２色調整層が設けられており、上記拡散層側から上記太陽電池付表示装置を正面視した場合に、上記太陽電池が配置され、上記第２色調整層が配置されていない第２太陽電池領域の色と、上記第２色調整層が配置されている第２色調整層形成領域の色とが、明度差が２．３以内の範囲の色に属することが好ましい。第２色調整層は、太陽電池セルの上方に設けてもよいし、太陽電池セルと並んで設けてもよいし、太陽電池セルの下方に設けてもよい。
【００７７】
図７（ａ）は本発明における太陽電池モジュールの一例を示す概略断面図である。図７（ａ）に示す太陽電池モジュール２０は、複数の太陽電池セル２１と、太陽電池セル２１を挟持する受光面側充填材２２および裏面側充填材２３と、受光面側充填材２２の上方に配置される前面保護シート２４と、太陽電池モジュール２０の裏面に配置される裏面シート２６と、太陽電池モジュール２０の受光面の端部に配置される封止材２７とを有している。また、裏面シート２６と裏面側充填材２３との間には、第２色調整層２５が設けられている。そして、裏面シート２６と封止材２７とが熱融着されることにより、全体が一体化されている。
【００７８】
上記太陽電池モジュール２０を有する太陽電池付表示装置においては、隣り合う太陽電池セル２１の間に第２色調整層２５が設けられており、また図示しないが太陽電池モジュールの受光面側には拡散層が配置されているので、拡散層および第２色調整層の相乗効果によって、隣り合う太陽電池セルの境目を目立たなくすることができる。さらに、拡散層および第２色調整層の相乗効果によって、太陽電池領域では拡散層表面の全体をむらのない、例えばきれいな白色または明灰色とすることができる。そのため、後述するように拡散層の上方に意匠層を配置した場合には、意匠層は太陽電池セルや隣り合う太陽電池セルの境目の影響を受けることなく、所望の意匠を発現することができるので、全体として高度な意匠を再現することができる。
【００７９】
以下、太陽電池モジュールの各構成について説明する。
【００８０】
（１）第２色調整層
本発明における第２色調整層は、隣り合う太陽電池の間、隣り合う太陽電池セルの間に設けられるものである。
【００８１】
ここで、太陽電池セルの色とは、太陽電池セルを構成する光電変換層の色を意味する。
第２色調整層の色およびその調整については、上述の色調整層と同様であるので、ここでの説明は省略する。
【００８２】
第２色調整層が隣り合う太陽電池セルの間に設けられている場合、第２色調整層の配置としては、第２色調整層が太陽電池セル同士の間に設けられていればよく、例えば図７（ａ）に示すように裏面シート２６と裏面側充填材２３との間に第２色調整層２５が一面に設けられていてもよく、図７（ｂ）に示すように裏面シート２６と裏面側充填材２３との間であって、隣り合う太陽電池セル２１の境目を含む領域のみに第２色調整層２５がパターン状に設けられていてもよく、図７（ｃ）に示すように受光面側充填材２．３と前面保護シート２４との間であって、隣り合う太陽電池セル２１の境目を含む領域のみに第２色調整層２５がパターン状に設けられていてもよい。また、図示しないが、裏面側充填材に色材を含有させることにより、裏面側充填材を第２色調整層として機能させてもよい。
【００８３】
第２色調整層の厚さとしては、特に限定されるものではなく、第２色調整層が配置される部分や太陽電池モジュール全体の構成、さらには第２色調整層に期待する色味等を考慮して適宜設計することができる。例えば、図７（ａ）に示すように裏面シート２６の上方に一面に第２着色層２５が設けられている場合には、第２着色層の厚さは１００ｎｍ〜１０μｍ程度とすることができる。
【００８４】
第２色調整層は透明基材の上方に形成されていてもよい。透明基材としては、光透過性を有するものであればよく、例えば樹脂基材を用いることができる。
【００８５】
第２色調整層を配置する方法としては、隣り合う太陽電池セルの間に第２色調整層を設けることができれば特に限定されるものではなく、例えば裏面シートの上方に第２色調整層を形成することができる。この場合の第２色調整層の形成方法としては、例えば色材を含む第２色調整層形成用塗工液を準備し、各種塗布方法によって裏面シートの上方に塗布する方法や、各種印刷方法によって裏面シートの上方に印刷する方法が挙げられる。また、第２色調整層として着色フィルムや紙を準備し、裏面シートと裏面側充填材との間に着色フィルムや紙を配置してもよい。
【００８６】
（２）その他の構成
図７（ａ）〜（ｃ）に例示する太陽電池モジュール２０は、太陽電池セル２１、第２色調整層２５、受光面側充填材２２、裏面側充填材２３、前面保護シート２４、裏面シート２６および封止材２７により構成されているが、これらの構成は例示であり、太陽電池モジュールは上記構成に限定されることはなく、種々の構成を採用することができる。また、太陽電池モジュールを構成する各部材としては、一般的なものを適宜用いることができる。
【００８７】
５．表示装置
本発明における表示装置は、太陽電池に間隔をおいて並んで配置されるものである。
表示装置としては、太陽電池に間隔をおいて並んで配置することができるものであればよく、例えば電子ペーパー、有機ＥＬ表示装置、液晶表示装置等のフラットパネルディスプレイが挙げられる。
【００８８】
電子ペーパーとしては、一般的な電子ペーパーを用いることができ、例えば、透明基板の上方に透明電極層が形成された前面基板と、基板の上方に背面電極層が形成された背面基板との間に表示媒体層が配置されたもの等を挙げることができる。
電子ペーパーを構成する各部材は、一般的な電子ペーパーと同様とすることができる。
電子ペーパーの表示方式としては、一般的な方式を適用することができ、例えば、電気泳動方式、ツイストボール方式、粉体移動方式（電子粉流体方式、帯電トナー型方式）、液晶表示方式、サーマル方式（発色方式、光散乱方式）、エレクトロクロミック方式、エレクトロウェッティング方式、磁気泳動方式等が挙げられる。
【００８９】
有機ＥＬ表示装置としては、一般的な有機ＥＬ表示装置を用いることができ、例えば、透明基板と、透明基板の上方に形成された透明電極層と、透明電極層の上方に形成され、少なくとも発光層を含む有機ＥＬ層と、有機ＥＬ層の上方に形成された背面電極層と、背面電極層の上方に配置された封止基板とを有するもの等を挙げることができる。また、有機ＥＬ表示装置には、絶縁層、隔壁、ＴＦＴ等が形成されていてもよい。
有機ＥＬ表示装置を構成する各部材は、一般的な有機ＥＬ表示装置と同様とすることができる。
【００９０】
液晶表示装置としては、一般的な液晶表示装置を用いることができ、例えば、透明基板の上方にカラーフィルタ層、透明電極層および配向膜が順に形成された前面基板と、基板の上方に背面電極層、配向膜が順に形成された背面基板との間に液晶層が配置されたもの等を挙げることができる。また、液晶表示装置には、ＴＦＴ、バックライト等が形成されていてもよい。
液晶表示装置を構成する各部材は、一般的な液晶表示装置と同様とすることができる。
液晶表示装置の表示方式としては、一般的な方式を適用することができ、例えば、透過型液、反射型、半透過半反射型等のいずれであってもよい。
【００９１】
本発明においては、上述したように、拡散層側から太陽電池付表示装置を正面視した場合に、太陽電池領域の色と、色調整層形成領域の色と、表示装置領域の色とが、明度差が２．３以内の範囲の色に属することが好ましい。なお、例えば表示のオンオフで表示装置領域の色が変化する場合等には、いずれかの状態の表示装置領域の色が、太陽電池領域の色および色調整層形成領域の色と明度差が２．３以内の範囲の色に属していればよい。
太陽電池領域の色と表示装置領域の色とが明度差が２．３以内の範囲の色に属するようにするには、表示装置領域の色を調整してもよい。表示装置領域の色は、表示装置の上方に拡散層が配置されているか否かによっても異なる。表示装置領域の色は、例えば、表示装置の種類、表示装置を構成する各層の材料、拡散層の配置の有無等を適宜選択することにより、調整することができる。
【００９２】
表示装置の配置としては、表示装置が太陽電池に間隔をおいて並んで配置されていれば特に限定されるものではなく、例えば複数の太陽電池に囲まれるように表示装置を配置したり、太陽電池と離れて表示装置を配置したりすることができる。
【００９３】
６．意匠層
本発明においては、図８に例示するように拡散層６の上方に意匠層９が配置されていることが好ましい。意匠層は、太陽電池付表示装置に所望の意匠性を付与するための層である。上述したように、表示装置では表示が可能であることから、意匠層の背景で表示のオンオフや表示の変更を行うことができ、意匠性を向上させ、アイキャッチ効果を高めることができる。
【００９４】
意匠層としては、光透過性を有するものであれば特に限定されるものではなく、任意に設計可能である。例えば着色層、印刷層、紙等が挙げられる。着色層としては、例えば色材およびバインダー樹脂を含有するものを挙げることができる。印刷層としては、透明基材の上方に文字、絵柄等が印刷されたものを挙げることができる。
【００９５】
意匠層は、太陽電池の受光面側に配置されるため、光透過性を有している。意匠層の光透過性は、所望する意匠と所望する発電効率とのバランスを考慮して適宜設計することができる。意匠層の平均透過率としては、所望する意匠によって異なるが、例えば２０％以上であることが好ましく、中でも５０％以上、特に７０％以上であることが好ましい。
ここで、平均透過率は、意匠層の面内平均における可視光線透過率を意味する。可視光線透過率は、例えばスガ試験機株式会社製のＳＭカラーコンピュータＳＭ−Ｃを用いて、３８０ｎｍ〜７５０ｎｍの可視光波長領域を測定した値とすることができる。この際、任意に採取したサンプル１２点の測定値を平均した値を採用することが精度向上の観点で好ましい。なお、意匠層が文字や絵柄を有する場合等、意匠層の面内に可視光線透過率が大きく異なる箇所が存在する場合には、占有面積が比較的広い箇所を選んでそれらの平均を採用すればよい。
【００９６】
意匠層の配置としては、太陽電池付表示装置に対して意匠層が全面に配置されていてもよく、パターン状に配置されていてもよい。意匠層がパターン状に配置されている場合には、意匠層による太陽電池の発電効率の低下を抑制することができる。
【００９７】
意匠層がパターン状に配置されている場合、意匠層のパターン形状としては、特に限定されるものではなく、例えばドット状や、文字や絵柄等が挙げられる。
【００９８】
７．保護層
本発明においては、意匠層の上方に保護層が配置されていてもよい。保護層が配置されていることにより、意匠層の劣化や剥離を防止することができ、意匠層を保護することができる。
【００９９】
８．回路
本発明においては、通常、表示装置を駆動させるための回路が設けられている。回路は、表示装置および太陽電池と接続されるものであり、太陽電池で発生した電力によって動作することができ、回路に接続された表示装置を駆動させることができる。
回路は、表示装置および太陽電池の裏面に配置することができる。
【０１００】
Ｂ．太陽電池パネル
本発明の太陽電池パネルは、間隔をおいて並んで配置された複数の太陽電池と、上記太陽電池の受光面側に配置され、隣り合う上記太陽電池の間に設けられた第３色調整層と、上記第３色調整層および上記太陽電池の上方に配置された拡散層と、上記太陽電池および上記拡散層の間に配置され、上記第３色調整層および上記各層の間に配置されていない透明介在層とを有するものであって、上記拡散層側から上記太陽電池パネルを正面視した場合に、上記太陽電池が配置され、上記第３色調整層が配置されていない第３太陽電池領域の色と、上記第３色調整層が配置されている第３色調整層形成領域の色とが、明度差が２．３以内の範囲の色に属することを特徴とするものである。なお、太陽電池は、太陽電池セルであっても太陽電池モジュールであってもよい。
【０１０１】
本発明の太陽電池パネルについて図面を参照して説明する。
図９（ａ）、（ｂ）は本発明の太陽電池パネルの一例を示す概略平面図および断面図であり、図９（ｂ）は図９（ａ）のＡ−Ａ線断面図である。図９（ａ）、（ｂ）に示す太陽電池パネル３０においては、透明基板４の上方に複数の太陽電池３が間隔をおいて並んで配置され、太陽電池３の透明基板４側が受光面となっており、透明基板４の太陽電池３の形成面とは反対側の面に、太陽電池３同士の間に第３色調整層５０が設けられ、第３色調整層５０および太陽電池３の上方に拡散層６が配置されている。太陽電池３および拡散層６の間には透明介在層１０として透明基板４および空気層８が配置されている。すなわち、この太陽電池パネル３０では、透明基板４および空気層８は、太陽電池３と拡散層６との間には配置されているが、第３色調整層５０と拡散層６との間には配置されておらず、透明介在層１０となっている。なお、図９（ａ）においては、透明基板４および拡散層６を省略しており、太陽電池３の一部を破線で示している。
【０１０２】
この太陽電池パネル３０において、太陽電池３が配置され、第３色調整層５０が配置されていない太陽電池領域１１では、拡散層６側から入射した光のうち、一部の光Ｌ１は太陽電池３で反射され拡散層６から出射する。また、第３色調整層５０が配置されている第３色調整層形成領域１２０では、拡散層６側から入射した光のうち、一部の光Ｌ２は第３色調整層５０で反射され拡散層６から出射する。このとき、光Ｌ１は、光Ｌ２に対して、空気層８および透明基板４をそれぞれ２回通過する分だけ、つまり透明介在層１０を２回通過する分だけ、光路が異なる。そのため、太陽電池３の色と第３色調整層５０の色とを同色とした場合であっても、太陽電池パネル３０を拡散層６側から正面視したときに、第３太陽電池領域１１０の色と第３色調整層形成領域１２０の色とが合わないという不具合がある。これに対し本発明においては、太陽電池パネル３０を拡散層６側から正面視したときに、第３太陽電池領域１１０の色と第３色調整層形成領域１２０の色とを明度差が２．３以内の範囲の色にするため、第３太陽電池領域１１０と第３色調整層形成領域１２０とで色を合わせることができる。したがって、拡散層６および第３色調整層５０の相乗効果によって、隣り合う太陽電池３の境目を目立たなくすることができる。
【０１０３】
このように本発明においては、隣り合う太陽電池の境目を目立たなくすることができ、太陽電池パネルの一体感を高め、外観を良くすることができる。
【０１０４】
太陽電池パネルを構成する第３色調整層については、上述の太陽電池付表示装置を構成する色調整層と同様であるので、ここでの説明は省略する。また、太陽電池パネルを構成するその他の各層についても、上述の太陽電池付表示装置を構成する各層と同様であるので、ここでの説明は省略する。
【０１０５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０６】
以下に実施例を示し、本発明をさらに詳細に説明する。
【０１０７】
［実施例１］
（太陽電池セルおよび太陽電池モジュール）
酸化物半導体材料として酸化チタン粒子（Ｐ２５：日本エアロジル株式会社）、色素増感剤としてＤ１４９色素（三菱製紙製）、電解質材料として６ｍｏｌ／ｌのｈｅｘｙｌ  ｍｅｔｙｌ  ｉｍｉｄａｚｏｌｕｍ  ｉｏｄｉｄｅ（富山薬品）および０．６ｍｏｌ／ｌのＩ2（メルク株式会社）を用いて作製された、縦幅１２．５ｃｍ×横幅１ｃｍの色素増感型太陽電池セルを準備した。この色素増感型太陽電池セル１４個を、セルどうしの間隔をそれぞれ０．１ｃｍずつあけて横に並べて配置し、直列で接続した。次に、受光面側に透明な保護シート、裏面側に色素増感型太陽電池セルとの色差ΔＥが１４．０以下の印刷を前面に配したバックシートを設置し、さらに素子の外周部（非発電部）を熱ラミネート可能なバリア性を有する封止材で覆うように設置した後、１２０度で熱ラミネートすることで、太陽電池モジュールを作製した。
太陽電池モジュールのセルの色は、マンセル表色系（色相  明度／彩度）で１．９Ｐ  １．２３／２．５６であり、また、Ｌ＊ａ＊ｂ＊表色系でＬ＝１３．２２、ａ＝７．０２、ｂ＝−１１．５６であった。
【０１０８】
（表示装置）
幅１０ｃｍ×幅１０ｃｍのツイストボールシート（総研化学（株）製 ツイストボールシート（青白））を封入した電子ペーパーを用いた。
電子ペーパーの色は、白モードで、マンセル表色系で０．２ＰＢ  ４．９１／１．４１であり、また、Ｌ＊ａ＊ｂ＊表色系でＬ＝５０．４９、ａ＝−３．６５、ｂ＝−４．１１であった。
【０１０９】
（太陽電池付表示装置）
電子ペーパーの左側および右側に各６個ずつの太陽電池モジュールを、電子ペーパーの表示面と太陽電池の受光面とが同じ面側になるように縦３列×横２列に並べ、電子ペーパーと太陽電池モジュールの間隔をそれぞれ０．８ｃｍずつあけて配置した。電子ペーパーの表示面および太陽電池の受光面上に厚さ１ｍｍの透明なアクリル板を配置した。
【０１１０】
次に、厚さ１００μｍの透明なポリエチレンテレフタレートフィルムに色材を含有するインクをパターン状に印刷することによって、パターン状の色調整層Ａが形成された、色調整フィルムを作製した。なお、下記の色調整層の色は、色調整フィルムを色調整層が測定装置側を向くように白色板上に載せて、測定した。
色調整層Ａの色は、マンセル表色系で１．０ＰＢ  １．０４／０．２８であり、また、Ｌ＊ａ＊ｂ＊表色系でＬ＝１１．０４、ａ＝−０．４４、ｂ＝−１．４８であった。
【０１１１】
次に、電子ペーパーおよび太陽電池モジュールの間ならびに太陽電池モジュールおよび太陽電池モジュールの間にパターン状の色調整層が配置されるように、透明なアクリル板上に色調整層フィルムを設置した。この際、ポリエチレンテレフタレートフィルムが太陽電池モジュール側（色調整層が太陽電池モジュールの反対側）を向くように、色調整層フィルムを配置した。
【０１１２】
次に、光拡散フィルム（Ｄ１２３：ツジデン社製）の拡散層の反対面側に、平均粒径２０ｎｍの微粒子によって表面に凹凸を有する第２拡散層を形成することによって、拡散層フィルムを作製した。そして、上記の色調整フィルム上の全面に、電子ペーパーの表示部に相当する領域を四角形にくり抜いた拡散層フィルムを設置した。この際、電子ペーパーの表示部の上方に拡散層フィルムの四角形の開口部が配置されるように、拡散層フィルムを設置した。
【０１１３】
次いで、拡散層フィルムの上方および電子ペーパーの表示部の上方に、意匠層として厚さ１００μｍの透明なポリエチレンテレフタレートフィルムの全面に大理石柄の印刷をした光透過フィルムを設置した。
【０１１４】
最後に適宜配線することによって、縦幅約７０ｃｍ×横幅約６５ｃｍの大理石調の実施例１の太陽電池付表示装置を作製した。なお、実施例１の太陽電池付表示装置では、図２（ｂ）と同様に、太陽電池と拡散フィルムの間に、透明基板（色調整層フィルムのポリエチレンテレフタレートフィルム）および空気層による透明介在層が配置されている。
【０１１５】
上記の太陽電池付表示装置について、太陽電池領域および色調整層形成領域の色を、コニカミノルタ社製の分光測色計ＣＭ−７００ｄ（視野２度、光源Ｃ）により測定した。
太陽電池領域の色は、マンセル表色系で５．９ＰＢ  ６．６５／１．５であり、また、Ｌ＊ａ＊ｂ＊表色系でＬ＝６８．０４、ａ＝−０．１、ｂ＝−２．１２であった。
色調整層形成領域の色は、マンセル表色系で５．８ＰＢ  ５．２４／１．１４であり、また、Ｌ＊ａ＊ｂ＊表色系でＬ＝５４．１９、ａ＝−０．０６、ｂ＝−４．２３であった。
【０１１６】
［実施例２］
下記の色の色調整層Ｂが形成された色調整フィルムを用いたこと以外は、実施例１と同様にして、実施例２の太陽電池付表示装置を作製した。
色調整層Ｂの色は、マンセル表色系で２．７ＰＢ  ０．５３／０．２８であり、また、Ｌ＊ａ＊ｂ＊表色系でＬ＝４１．８２、ａ＝−０．５３、ｂ＝−１．３５であった。
色調整層形成領域の色は、マンセル表色系で５．７ＰＢ  ６．３７／０．７４であり、また、Ｌ＊ａ＊ｂ＊表色系でＬ＝６５．４５、ａ＝−０．２０、ｂ＝−２．３３であった。
【０１１７】
［実施例３］
下記の色の色調整層Ｃが形成された色調整フィルムを用いたこと以外は、実施例１と同様にして、実施例３の太陽電池付表示装置を作製した。
色調整層Ｃの色は、マンセル表色系で１．８Ｇ  ７．２３／２．０７であり、また、Ｌ＊ａ＊ｂ＊表色系でＬ＝７３．８３、ａ＝−１０．０６、ｂ＝７．３８であった。
色調整層形成領域の色は、マンセル表色系で１．８Ｇ  ７．２３／２．０７であり、また、Ｌ＊ａ＊ｂ＊表色系でＬ＝７３．８３、ａ＝−１０．０６、ｂ＝７．３８であった。
【０１１８】
［実施例４］
下記の色の色調整層Ｃが形成された色調整フィルムを用いたこと以外は、実施例１と同様にして、実施例４の太陽電池付表示装置を作製した。
色調整層Ｄの色は、マンセル表色系で４．３Ｒ  ２．３３／５．８３であり、また、Ｌ＊ａ＊ｂ＊表色系でＬ＝２３．９０、ａ＝２９．７８、ｂ＝９．３９であった。
色調整層形成領域の色は、マンセル表色系で３．７Ｒ  ４．５１／１．２３であり、また、Ｌ＊ａ＊ｂ＊表色系でＬ＝５４．６９、ａ＝９．７１、ｂ＝４．８５であった。
【０１１９】
［実施例５］
色調整層Ｂが形成された色調整フィルムを用いて、かつ拡散層フィルムとして光拡散フィルム（Ｄ１２３：ツジデン社製）をそのまま用いた（第２拡散層は形成しなかった）こと以外は、実施例１と同様にして、実施例４の太陽電池付表示装置を作製した。
色調整層形成領域の色は、マンセル表色系で８．３ＰＢ  ４．５６／０．４１であり、また、Ｌ＊ａ＊ｂ＊表色系でＬ＝４２．５、ａ＝０．３３、ｂ＝１．７６であった。
【０１２０】
［比較例１］
拡散層フィルムとして光拡散フィルム（Ｄ１２３：ツジデン社製）をそのまま用いた（第２拡散層は形成しなかった）こと以外は、実施例１と同様にして、比較例１の太陽電池付表示装置を作製した。
色調整層形成領域の色は、マンセル表色系で７．６ＰＢ  ４．１２／０．５５であり、また、Ｌ＊ａ＊ｂ＊表色系でＬ＝４２．５、ａ＝０．３４、ｂ＝−２．５１であった。
【０１２１】
［比較例２］
拡散層フィルムを用いずに、色調整層フィルムの色調整層上に粒子によって表面に凹凸を有する拡散層を形成したこと以外は、実施例１と同様にして、比較例２の太陽電池付表示装置を作製した。
色調整層形成領域の色は、マンセル表色系で３．７ＰＢ  ３．１３／１．００であり、また、Ｌ＊ａ＊ｂ＊表色系でＬ＝３２．２８、ａ＝−０．６９、ｂ＝−４．９であった。
【０１２２】
（評価）
上記の太陽電池付表示装置について、１０ｍ離れた位置で、電子ペーパーの表示部が概ね水平の目線になるように正面から目視したときの見え方を評価した。
評価の基準は下記の通りとした。
とても良い：電子ペーパーおよび太陽電池の境目が太陽電池と一様になって見える場合。
良い：電子ペーパーおよび太陽電池の境目が太陽電池と概ね一様になって見える場合。
悪い：電子ペーパーおよび太陽電池の境目が太陽電池と分離して見える場合。
下記の表１に評価結果を示す。
【０１２３】
【表１】
2015220894.tif 000003
【０１２４】
上記の表１より、色調整層が配置されていない太陽電池領域の色と、色調整層が配置されている色調整層形成領域の色とが、明度差が２．３以内の範囲の色に属する場合に、電子ペーパーおよび太陽電池の境目が目立たないか概ね目立たず、外観が良好で意匠性に優れることがわかる。
【符号の説明】
【０１２５】
１  …  太陽電池付表示装置
２  …  表示装置
３  …  太陽電池
４  …  透明基板
５  …  色調整層
６  …  拡散層
８  …  空気層
９  …  意匠層
１０…  透明介在層
１１  …  太陽電池領域
１２  …  色調整層形成領域
１３  …  表示部
１６  …  表示装置領域
３０  …  太陽電池パネル
Ｌ１、Ｌ２  …  光
【図１】
2015220894.tif 000004
【図２】
2015220894.tif 000005
【図３】
2015220894.tif 000006
【図４】
2015220894.tif 000007
【図５】
2015220894.tif 000008
【図６】
2015220894.tif 000009
【図７】
2015220894.tif 000010
【図８】
2015220894.tif 000011
【図９】
2015220894.tif 000012